(57)【要約】【課題】  ２つの被溶着体を溶着するとき、一方の被溶着体と他方の被溶着体との間に段差があったり、または一方の被溶着体の溶着部近傍に凸部があったりする場合でも、被溶着体を傷付けることなく、溶着余盛り部分を仕上げカットすることができる溶着余盛り部分カット用包丁の提供。【解決手段】  握り部とその先端部分に刃含有部を有する金属板とを有する溶着余盛り部分カット用包丁であって、前記刃含有部が上面図で見てコの字型、正面図でみてもコの字型であって、コの字型の凹み部分には刃が形成されており、コの字型の凸部分およびコの字型の外側折り曲がり部分にはアールが形成されていることを特徴とする溶着余盛り部分カット用包丁。【選択図】        図５
2006167302.tif 000002
【特許請求の範囲】
【請求項１】
握り部とその先端部分に刃含有部を有する金属板とを有する溶着余盛り部分カット用包丁であって、前記刃含有部が上面図で見てコの字型、正面図でみてもコの字型であって、コの字型の凹み部分には刃が形成されており、コの字型の凸部分およびコの字型の外側折り曲がり部分にはアールが形成されていることを特徴とする溶着余盛り部分カット用包丁。
【請求項２】
握り部およびその先端部分に刃含有部を有する金属板とを有する請求項１記載の溶着余盛り部分カット用包丁において、前記金属板が先端部分から順に、刃含有部付短冊状部を経て、その幅が拡大しているものである請求項１記載の溶着余盛り部分カット用包丁。
【請求項３】
一方の被溶着体と他方の被溶着体との間に段差がある部分を溶着したときの溶着棒余盛り部分を仕上げカットするための請求項１または２記載の溶着余盛り部分カット用包丁。
【請求項４】
少なくとも一方の被溶着体が溶着部の近傍に凸部を有する被溶着体を溶着したときの溶着棒余盛り部分を仕上げカットするための請求項１または２記載の溶着余盛り部分カット用包丁。
【発明の詳細な説明】
【技術分野】
【０００１】
本発明は、溶着余盛り部分カット用包丁、とくに厚みが異なる熱可塑性プラスチック板を溶着棒により溶着したときの溶着棒の余盛り部分をスムースにカットするのに適した段差部溶着余盛り部分カット用包丁に関する。
【背景技術】
【０００２】
熱可塑性プラスチック板を溶着棒により溶着するには、溶着しようとする熱可塑性プラスチック板を突き合わせ、まずこの溶着溝をＵ字カッターで熱可塑性プラスチック板の厚みの４／５位まで深く掘り込み、ここに溶着棒を挿入した後熱風等で溶着棒周辺を加熱して溶着させる。溶着棒がまだ熱くて軟らかい時にシート面より高さ０．５〜１ｍｍ位を残して第１回目のカットを行い、溶着棒が十分に冷えて安定した頃、第２回目のカット、すなわち仕上げカットを行っている。通常、仕上げカットに用いられている包丁は、図１のような形状のものである。
【０００３】
このような形状の包丁は、溶着する２枚の熱可塑性プラスチック板が共に同一の厚みの場合には全く問題がないが、溶着したい熱可塑性プラスチック板の厚みが異なっている場合、例えば、一方の板の厚みが２．０ｍｍ、他方の厚みが２．５ｍｍといったような場合（図２参照）にはどうしても厚みの薄い方の板の表面を刃先で傷付けることになってしまう。
また、被溶着体の少なくとも一方が、溶着部分の近傍に沿って凸部を有するような場合には、刃先で凸部を傷付けることになってしまう。
【発明の開示】
【発明が解決しようとする課題】
【０００４】
本発明の目的は、２つの被溶着体を溶着するとき、一方の被溶着体と他方の被溶着体との間に段差があったり、または一方の被溶着体の溶着部近傍に凸部があったりする場合でも、被溶着体を傷付けることなく、溶着余盛り部分を仕上げカットすることができる溶着余盛り部分カット用包丁を提供する点にある。
【課題を解決するための手段】
【０００５】
本発明の第１は、握り部とその先端部分に刃含有部を有する金属板とを有する溶着余盛り部分カット用包丁であって、前記刃含有部が上面図で見てコの字型、正面図でみてもコの字型であって、コの字型の凹み部分には刃が形成されており、コの字型の凸部分およびコの字型の外側折り曲がり部分にはアールが形成されていることを特徴とする溶着余盛り部分カット用包丁に関する。
本発明の第２は、握り部およびその先端部分に刃含有部を有する金属板とを有する請求項１記載の溶着余盛り部分カット用包丁において、前記金属板が先端部分から順に、刃含有部付短冊状部を経て、その幅が拡大しているものである請求項１記載の溶着余盛り部分カット用包丁に関する。
本発明の第３は、一方の被溶着体と他方の被溶着体との間に段差がある部分を溶着したときの溶着棒余盛り部分を仕上げカットするための請求項１または２記載の溶着余盛り部分カット用包丁に関する。
本発明の第４は、少なくとも一方の被溶着体が溶着部の近傍に凸部を有する被溶着体を溶着したときの溶着棒余盛り部分を仕上げカットするための請求項１または２記載の溶着余盛り部分カット用包丁に関する。
【０００６】
本発明の溶着余盛り部分カット用包丁は、刃の部分が段差の低い方の被溶着体の表面を傷付けることがないようにするため、また、一方の被溶着体に凸部がある場合にもその凸部を傷付けないようにするため、溶着余盛り部分をカットするための刃の部分を図４や５に示すようにガイド部でカバーすると共に、ガイド部が被溶着体と接触する可能性のある部分はすべてアールを付けることにより、被溶着体を傷付けることがないような構造としたものである。
【０００７】
本発明の刃含有部の形状の１例を具体的に示しているのが図４〜６である。本発明が図１に示すような従来型の溶着余盛り部分カット用包丁と根本的に異なっている点の１つは、刃含有分を上方から見ても、正面からみてもコの字型になるように設計し、コの字型の凹み部分に刃を設けた点であり、このような着想は本技術分野には全く存在していなかった技術思想である。これにより溶着部以外の部分に刃が接触しないようにすることができた。
【０００８】
また、コの字型の凸部分は、刃のガイド部として機能させるので、ある程度力がかかった状態で被溶着体と接触することになる。そこで、コの字型の凸部分およびコの字型の外側折り曲がり部分にはアールを形成し、刃以外の部分が被溶着体と接触することにより傷が発生することを極力防止している。
【０００９】
コの字部分を含む刃含有部の大きさはとくに限定するものではないが、図４〜６におけるａは５〜１２ｍｍ、ｂは０．３〜１．２ｍｍ、ｃは２〜７ｍｍ、ｄは３〜０．３ｍｍ、ｅは２〜７ｍｍ、ｆは０．８〜１．２ｍｍである。この範囲の寸法とすることが通常の溶着部の余盛り部分をカットするうえで、もっともバランスのよいコの字型を形成することが判っている。
【００１０】
刃含有部は、ある程度の延長部分を経て握り部に至る金属板の先端部分に設けられているが、この金属板の形状は、刃含有部の幅のままの短冊状とすることもできるが、溶着余盛り部分をカットするとき、金属板が適度の弾性を保有していることが好ましい。そのためには、刃含有部、いいかえれば刃含有部のコの字型先端部から３５〜４５ｍｍ程度は短冊状でよいが、その後の部分はもっと幅広のものとすることが好ましい。この方が金属板全体に適度の弾力としなり具合を与えることができる。
【００１１】
前述の点を含めて、本発明の好ましい溶着余盛り部分カット用包丁の具体的形状とサイズを図７および図８に示す。
【００１２】
図７に示す溶着余盛り部分カット用包丁の金属板は、先端部分から順に刃含有部付短冊状部、ふくらみ部、長方形状部よりなり、刃含有部付短冊状部は幅６〜１２ｍｍ、長さ３５〜４５ｍｍ、ふくらみ部は最大ふくらみ部分の幅３０〜４０ｍｍ、長さ８０〜１００ｍｍ、長方形状部は幅８〜１５ｍｍ、長さ０〜１５ｍｍのものである。
【００１３】
図８に示す溶着余盛り部分カット用包丁の金属板は、先端部分から順に刃含有部付短冊状部、紡錘形断面状部、長方形状部よりなり、刃含有部付短冊状部は幅６〜１２ｍｍ、長さ３５〜４５ｍｍ、紡錘形断面状部は、長さ３５〜５０ｍｍ、長方形状部は幅１８〜２６ｍｍ、長さ２５〜３５ｍｍのものである。
【００１４】
被溶着体としては、溶着可能な材料で形成されているものなら、とくに制限はないが、代表的なものとしては、床材、壁材などを挙げることができる。
【００１５】
また、溶着部の近傍に凸部を有する被溶着体の１例としては、本出願人が特開２０００−１３６６０２号公報や特開２０００−１３６６０３号公報で提案した排水処理用床材を挙げることができる。この排水処理用床部材は空調器や雨どいなどから発生する水をベランダに流すとき、ベランダを濡らすことなく処理するのに適した部材であり、その１例を断面図として図９に示す。このような場合にはイの点の高さが溶着しようとする隣りの床材と同一の高さであっても、図１で示すような従来タイプの溶着余盛り部分カット用包丁を用いると、排水処理用床部材の盛り上り部を傷つける結果になってしまうおそれがある。図９に示す排水処理用床部材は、被溶着体において溶着部近傍に凸部が存在するケースのほんの一例であり、本発明の被溶着体は排水処理用床部材に限るものではない。
【発明の効果】
【００１６】
（１）本発明の溶着余盛り部分カット用包丁は、一方の被溶着体と、他方の被溶着体との間に段差がある部分を溶着棒により溶着したときの仕上げ用包丁として非常に有効であり、段差部の低い方の被溶着体表面を傷付けることなく、スムースに溶着余盛り部分をカットすることができる。
（２）本発明の溶着余盛り部分カット用包丁は、少なくとも一方の被溶着体が、溶着部の近傍に凸部を有する場合の溶着部の仕上げ用包丁として非常に有効であり、凸部を傷付けることなく、スムースに溶着余盛り部分をカットすることができる。
【実施例】
【００１７】
以下に実施例を挙げて本発明を詳細に説明するが、本発明はこれにより何ら限定されるものではない。
【００１８】
実施例１
全体の形状は、図７に示すとおりであり、刃含有部の寸法は下記のとおりである。
ａ＝１０ｍｍ，ｂ＝０．５ｍｍ，ｃ＝５ｍｍ，ｄ＝０．５ｍｍ，ｅ＝５ｍｍ，
ｆ＝１．０ｍｍ，ｇ＝０．７５ｍｍ
これを用いて、図３に示す要領で溶着部の仕上げカットを行った。図２に示す従来型の溶着余盛り部分カット用包丁を用いる場合に較べ低い方の床材表面を全く痛めることがなかった。
【００１９】
実施例２
全体の形状は、図８に示すとおりであり、刃含有部の寸法は下記のとおりである。
ａ＝６ｍｍ，ｂ＝１ｍｍ，ｃ＝３ｍｍ，ｄ＝２ｍｍ，ｅ＝３ｍｍ，
ｆ＝１．０ｍｍ，ｇ＝０．７５ｍｍ
これを用いて、図１１に示す要領で溶着部の仕上げカットを行った。図１０に示す従来型の溶着余盛り部分カット用包丁を用いる場合に較べて、極めて安全に作業できた。
【図面の簡単な説明】
【００２０】
【図１】従来型の溶着余盛り部分カット用包丁の上面図である。
【図２】段差のある溶着部の仕上げカットを従来型の溶着余盛り部分カット用包丁でカットしている状態を示す断面図である。
【図３】段差のある溶着部の仕上げカットを本発明の溶着余盛り部分カット用包丁でカットしている状態を示す断面図である。
【図４】本発明の溶着余盛り部分カット用包丁の刃含有部の拡大上面図である。
【図５】本発明の溶着余盛り部分カット用包丁の刃含有部の拡大正面図である。
【図６】本発明の溶着余盛り部分カット用包丁の刃含有部の図４Ｘ−Ｘ線断面図である。
【図７】本発明の溶着余盛り部分カット用包丁の１例を示す上面図である。
【図８】本発明の溶着余盛り部分カット用包丁の他の１例を示す上面図である。
【図９】本発明の実施例２で用いる排水処理用床部材の断面図である。
【図１０】中央に排水処理用床部材を配し、その両側に床材を置いて両者を溶着棒を用いて溶着した後、溶着部を１次カットし、ついで従来型の溶着余盛り部分カット用包丁を用いてカットしている状態を示す断面図である。
【図１１】中央に排水処理用床部材を配し、その両側に床材を置いて両者を溶着棒を用いて溶着した後、溶着部を１次カットし、ついで本発明の溶着余盛り部分カット用包丁を用いてカットしている状態を示す断面図である。
【図１】
2006167302.tif 000003
【図２】
2006167302.tif 000004
【図３】
2006167302.tif 000005
【図４】
2006167302.tif 000006
【図５】
2006167302.tif 000007
【図６】
2006167302.tif 000008
【図７】
2006167302.tif 000009
【図８】
2006167302.tif 000010
【図９】
2006167302.tif 000011
【図１０】
2006167302.tif 000012
【図１１】
2006167302.tif 000013